(57)【要約】【課題】電池セルの寸法バラツキを吸収して耐振動性を向上させることが可能な電池パックを提供する。【解決手段】電池パック１は、電池セル集合体６及びバスバーモジュール７を有する電池モジュール２と、電池セル集合体６を収容するセル収容ケース３と、このセル収容ケース３に係合するカバー４とを備えて構成される。セル収容ケース３の側壁２２には、第一係合部２５が形成される。また、バスバーモジュール７の側壁１０には、第二係合部１４が形成される。カバー４は、セル収容ケース３に電池セル集合体６を収容した状態でバスバーモジュール７を覆う形状に形成される。セル収容ケース３の第一係合部２５及び電池モジュール２の第二係合部１４は、係合し合う形状に形成される。具体的には、電池セル集合体６の収容方向に対し斜めに交差する方向の面、且つ、カバー４からの作用により摺接し合う面となるテーパ面１８、２９をそれぞれ有する形状に形成される。【選択図】図１
2020064776.tif 000002
【特許請求の範囲】
【請求項１】
複数個の電池セルからなる電池セル集合体、及び、該電池セル集合体に組み付けられるバスバーモジュールを有する電池モジュールと、
前記電池セル集合体を収容するセル収容ケースと、
該セル収容ケースに前記電池セル集合体を収容した状態で前記バスバーモジュールを覆い且つ前記セル収容ケースに係合するカバーとを備え、
係合し合う前記セル収容ケースの第一係合部及び前記電池モジュールの第二係合部は、前記電池セル集合体の収容方向に対し斜めに交差する方向の面、且つ、前記カバーからの作用により摺接し合う面として形成されるテーパ面をそれぞれ有する
ことを特徴とする電池パック。
【請求項２】
請求項１に記載の電池パックにおいて、
前記バスバーモジュールは、前記電池セル集合体における前記電池セルの一端が当接する第一当接部を有し、前記セル収容ケースは、前記電池セルの他端が当接する第二当接部を有し、該第二当接部は、前記収容方向の寸法バラツキを吸収する公差吸収部として形成される
ことを特徴とする電池パック。
【請求項３】
請求項２に記載の電池パックにおいて、
前記カバーは、前記バスバーモジュールの前記第一当接部がある部分を押圧する第一押圧部と、前記セル収容ケースの前記第一係合部近傍の部分の第三係合部に対し係合する第四係合部とを有する
ことを特徴とする電池パック。
【請求項４】
請求項３に記載の電池パックにおいて、
前記カバーは、前記第四係合部近傍の側壁が前記第一係合部及び前記第二係合部による係合部分を押圧する第二押圧部として形成される
ことを特徴とする電池パック。
【請求項５】
請求項４に記載の電池パックにおいて、
前記カバーは、前記側壁が前記係合部分に対する保護壁として形成される
ことを特徴とする電池パック。
【発明の詳細な説明】
【技術分野】
【０００１】
本発明は、電池パックに関する。詳しくは、電池モジュールとセル収容ケースとカバーとを備えて構成される電池パックに関する。
【背景技術】
【０００２】
電気自動車やハイブリッド自動車に搭載される電池パックは、複数個の電池セルを備えて構成される。例えば、下記特許文献１に開示された電池パックにあっては、複数個の電池セルの位置ズレを抑制するための部材、すなわち固定板と呼ばれる専用の部材を更に備えて構成される。
【先行技術文献】
【特許文献】
【０００３】
【特許文献１】特許第５６６０２０４号公報
【発明の概要】
【発明が解決しようとする課題】
【０００４】
電池パックにおいては、電池モジュールをセル収容ケースに収容してなるものが知られる。このような電池パックでは、上記電池モジュールが複数個の電池セルからなる電池セル集合体と、この電池セル集合体に組み付けられるバスバーモジュールとを有し、これらは電池セル上端の電極位置とバスバーモジュールのバスバー溶接面の高さ位置とを均一にする必要がある。そのため、電池セル単体の高さ寸法にバラツキがあると、電池セル集合体の下端位置においては電池セル間で位置の不揃いが生じてしまい、仮にセル収容ケースに反り等があると、セル収容ケース及び電池セルの間に隙間ができて、結果、電池セルの固定状態が不十分になってしまうという問題点を有する。
【０００５】
電池セルの固定状態が不十分になると、電池パックの耐振動性などに影響を来してしまうことから、上記問題点の解消のために上記従来技術のような専用部材を構成に追加することが考えられる。しかしながら、専用部材を追加する対応案では、コストアップにつながってしまうという新たな問題点を有する。
【０００６】
本発明は、上記した事情に鑑みてなされたもので、電池セルの寸法バラツキを吸収して耐振動性を向上させることが可能な電池パックの提供を課題とする。
【課題を解決するための手段】
【０００７】
上記課題を解決するためになされた請求項１に記載の本発明の電池パックは、複数個の電池セルからなる電池セル集合体、及び、該電池セル集合体に組み付けられるバスバーモジュールを有する電池モジュールと、前記電池セル集合体を収容するセル収容ケースと、該セル収容ケースに前記電池セル集合体を収容した状態で前記バスバーモジュールを覆い且つ前記セル収容ケースに係合するカバーとを備え、係合し合う前記セル収容ケースの第一係合部及び前記電池モジュールの第二係合部は、前記電池セル集合体の収容方向に対し斜めに交差する方向の面、且つ、前記カバーからの作用により摺接し合う面として形成されるテーパ面をそれぞれ有することを特徴とする。
【０００８】
このような請求項１の特徴を有する本発明によれば、電池セル集合体をセル収容ケースに収容した状態でバスバーモジュールを覆うようにカバーをセル収容ケースに係合させると、この時、セル収容ケースの第一係合部及び電池モジュールの第二係合部のテーパ面同士が係合する。テーパ面同士が係合すると、電池モジュールはセル収容ケースの側に引き寄せられるような状態になり、また、セル収容ケースは電池モジュールのバスバーモジュールの側に引き寄せられるような状態になる。すなわち、セル収容ケース及び電池モジュールは、電池セル集合体をこの両側から挟み込んで付勢するような状態になる（別な言い方をすれば、電池セル集合体は、セル収容ケース及び電池モジュールにて電池セルの一端側及び他端側から付勢されるような状態になる）。従って、本発明によれば、上記状態になることから、電池セルの寸法バラツキを吸収することができ、以て耐振動性を向上させることができる。また、本発明によれば、専用部材を用いずに寸法バラツキを吸収することから、コストアップを抑制することができる。
【０００９】
請求項２に記載の本発明は、請求項１に記載の電池パックにおいて、前記バスバーモジュールは、前記電池セル集合体における前記電池セルの一端が当接する第一当接部を有し、前記セル収容ケースは、前記電池セルの他端が当接する第二当接部を有し、該第二当接部は、前記収容方向の寸法バラツキを吸収する公差吸収部として形成されることを特徴とする。
【００１０】
このような請求項２の特徴を有する本発明によれば、電池セルの一端がバスバーモジュールの第一当接部に当接するとともに、電池セルの他端がセル収容ケースの第二当接部に当接することから、電池セル集合体はセル収容ケース及びバスバーモジュールにて付勢され、そして、固定される。従って、電池セル（電池セル集合体）の固定状態を向上させることができる。また、本発明によれば、第二当接部が公差吸収部として形成されることから、電池セルに寸法バラツキがあっても、このバラツキが公差吸収部にて吸収される。従って、本発明によれば、公差吸収部が寸法バラツキの吸収に寄与することができ、以て耐振動性を向上させることができる。
【００１１】
請求項３に記載の本発明は、請求項２に記載の電池パックにおいて、前記カバーは、前記バスバーモジュールの前記第一当接部がある部分を押圧する第一押圧部と、前記セル収容ケースの前記第一係合部近傍の部分の第三係合部に対し係合する第四係合部とを有することを特徴とする。
【００１２】
このような請求項３の特徴を有する本発明によれば、バスバーモジュールがカバーの第一押圧部にて押圧されることから、バスバーモジュールによる電池セル集合体への付勢を高めることができる。従って、本発明によれば、第一押圧部が寸法バラツキの吸収に寄与することができ、以て耐振動性を向上させることができる。また、本発明によれば、上記押圧がカバーの第四係合部及びセル収容ケースの第三形状部の係合にて維持されることから、電池セル集合体を確実に固定することができ、以て寸法バラツキの吸収に寄与することができる。
【００１３】
請求項４に記載の本発明は、請求項３に記載の電池パックにおいて、前記カバーは、前記第四係合部近傍の側壁が前記第一係合部及び前記第二係合部による係合部分を押圧する第二押圧部として形成されることを特徴とする。
【００１４】
このような請求項４の特徴を有する本発明によれば、第一係合部及び第二係合部による係合部分がカバーの第二押圧部にて押圧されることから、係合部分におけるテーパ面同士の係合状態を維持することができ、以て寸法バラツキの吸収に寄与することができる。
【００１５】
請求項５に記載の本発明は、請求項４に記載の電池パックにおいて、前記カバーは、前記側壁が前記係合部分に対する保護壁として形成されることを特徴とする。
【００１６】
このような請求項５の特徴を有する本発明によれば、第一係合部及び第二係合部による係合部分がカバーの保護壁にて保護されることから、係合部分におけるテーパ面同士の係合状態を維持することができ、以て寸法バラツキの吸収に寄与することができる。
【発明の効果】
【００１７】
本発明の電池パックによれば、電池セルの寸法バラツキを吸収して耐振動性を向上させることができるという効果を奏する。
【図面の簡単な説明】
【００１８】
【図１】本発明の電池パックの一実施形態を模式的に示す構成断面図である。
【図２】図１の第一係合部〜第四係合部の拡大断面図である。
【図３】電池モジュールとセル収容ケースとの係合を模式的に示す断面図である。
【図４】図３の第一係合部及び第二係合部の拡大断面図である。
【図５】カバーの係合を模式的に示す断面である。
【図６】図５の第一係合部〜第四係合部の拡大断面図である。
【図７】カバーが係合し組み付けが完了した状態を模式的に示す断面図である。
【図８】図７の第一係合部〜第四係合部の拡大断面図である。
【発明を実施するための形態】
【００１９】
電池パックは、電池セル集合体及びバスバーモジュールを有する電池モジュールと、電池セル集合体を収容するセル収容ケースと、このセル収容ケースに係合するカバーとを備えて構成される。セル収容ケースの側壁には、第一係合部が形成される。また、バスバーモジュールの側壁には、第二係合部が形成される。カバーは、セル収容ケースに電池セル集合体を収容した状態でバスバーモジュールを覆う形状に形成される。セル収容ケースの第一係合部及び電池モジュールの第二係合部は、係合し合う形状に形成される。具体的には、電池セル集合体の収容方向に対し斜めに交差する方向の面、且つ、カバーからの作用により摺接し合う面となるテーパ面をそれぞれ有する形状に形成される。
【実施例】
【００２０】
以下、図面を参照しながら実施例を説明する。図１は本発明の電池パックの一実施形態を模式的に示す構成断面図である。また、図２は図１の第一係合部〜第四係合部の拡大断面図、図３は電池モジュールとセル収容ケースとの係合を模式的に示す断面図、図４は図３の第一係合部及び第二係合部の拡大断面図、図５はカバーの係合を模式的に示す断面、図６は図５の第一係合部〜第四係合部の拡大断面図、図７はカバーが係合し組み付けが完了した状態を模式的に示す断面図、図８は図７の第一係合部〜第四係合部の拡大断面図である。
【００２１】
尚、図中の矢印Ｐは縦方向（上下方向）を示すものとする。また、矢印Ｑは横方向（左右方向）を示すものとする。また、矢印Ｐ及び矢印Ｑに直交する紙面垂直方向は、奥行き方向を示すものとする。
【００２２】
＜電池パック１について＞
図１において、電池パック１は、図示しない電気自動車やハイブリッド自動車の所定位置に搭載される。このような電池パック１は、モーターを駆動するための電力供給源として用いられる。電池パック１は、電池モジュール２と、セル収容ケース３と、カバー４とを備えて構成される。尚、電池パック１は、専用部材を用いずに後述する電池セル５の寸法バラツキを吸収して耐振動性を向上させることが特徴である。そのため、上記構成部材における公知部分等に関しては図示を省略するものとする。また、制御等に係る構成部材に関しても図示を省略するものとする。先ず、上記引用符号を付した構成部材について以下に説明をする。
【００２３】
＜電池モジュール２について＞
図１において、電池モジュール２は、複数個の電池セル５からなる電池セル集合体６と、この電池セル集合体６に組み付けられるバスバーモジュール７とを備えて構成される。電池モジュール２は、電池パック１における本体部分として一又は複数個備えられる。このような電池モジュール２には、電源線との接続部分が設けられる。尚、電源線を介して供給された電力により上記モーターが駆動されるものとする。
【００２４】
＜電池セル集合体６及び電池セル５について＞
図１において、電池セル集合体６は、電池セル５を横方向に複数個並べたものとして形成される。尚、電池セル５同士の間には、絶縁性を有するセパレータが設けられてもよいものとする。電池セル集合体６は、バスバーモジュール７の後述するバスバー（図示省略）との溶接のために、各電池セル５の上端の電極位置が同じになるように形成される。
【００２５】
電池セル５は、高さや奥行きの寸法に比べ横幅が小さな直方体となる形状に形成される（図示形状は一例であるものとする）。このような電池セル５の上端には、正極及び負極が所定の間隔をあけて配設される。正極及び負極は、バスバーモジュール７の後述するバスバー（図示省略）との溶接ができるような形状に形成される。隣り合う電池セル５同士は、バスバーにて直列に接続することができるように配置される。電池セル５の下端は、セル収容ケース３の後述する第二当接部２３（公差吸収部２４）が当接するような部分に形成される。尚、電池セル５の高さ寸法にバラツキがあると、電池セル集合体６の下端位置においては電池セル５間で位置の不揃いが生じてしまうが、以下で説明する本発明の特徴部分によって寸法バラツキが吸収されるようになる。
【００２６】
以上のような電池セル５としては、ニッケル水素電池やリチウムイオン電池といった二次電池等が採用されるものとする。
【００２７】
＜バスバーモジュール７について＞
図１において、バスバーモジュール７は、複数のバスバー（図示省略）と、この複数のバスバーを保持する樹脂フレーム８と、電池セル５の電圧を監視するための複数の端子及び電線と、電池セル５の温度を監視するための複数のサーミスタ及び電線と、上記電源線の接続部分とを備えて構成される。バスバーモジュール７は、電池セル集合体６の上端位置の全体を覆うように形成されて組み付けられる。
【００２８】
図示しないバスバーは、導電性を有する金属板をプレス加工して形成される。バスバーは、電池セル５の正極及び負極に対する溶接面を有する形状に形成される。尚、本実施例のバスバーは、電池セル５の正極及び負極に対し溶接するタイプのものであるが、正極及び負極が締結タイプのものである場合には、ボルト挿通孔が形成されるものとする。
【００２９】
＜樹脂フレーム８について＞
図１において、樹脂フレーム８は、絶縁性を有する樹脂材料を用いた成形品であって、複数のバスバーを保持するフレーム本体９と、このフレーム本体９に連成される可撓性の側壁１０とを有する。フレーム本体９には、複数のバスバー保持部や複数の端子保持部などが形成される。また、上記電線を収容する部分等も形成される。このようなフレーム本体９の下面には、複数の第一当接部１１が形成される。第一当接部１１は、電池セル５の上端（一端）が当接する部分としての当接面１２と、電池セル５の上端側の側面を保持する一対の保持部１３とを有する形状に形成される。
【００３０】
側壁１０は、矢印Ｐの縦方向（上下方向）にのびる壁であって、所定位置の下端には、セル収容ケース３の後述する第一係合部２５に対し係合する第二係合部１４が形成される。側壁１０は、セル収容ケース３の後述する側壁２２と同じ位置に配置形成される。
【００３１】
＜第二係合部１４について＞
図１及び図２において、第二係合部１４は、本発明の特徴部分の一つであって、枠部１５と、係合空間１６と、係合凸部１７とを有する形状に形成される。枠部１５は、側壁１０の内面から突出する枠状の部分に形成される。係合空間１６は、セル収容ケース３の後述する第一係合部２５との係合のための空間として形成される。係合凸部１７は、第一係合部２５との係合部分として凸状に形成される。このような係合凸部１７には、テーパ面１８が形成される。
【００３２】
テーパ面１８は、矢印Ｐの縦方向（上下方向）に対し斜めに交差する方向の面に形成される。また、テーパ面１８は、第一係合部２５の後述するテーパ面２９と摺接し合う面に形成される。尚、テーパ面１８は、矢印Ｐの縦方向（上下方向）に対し矢印Ｑの横方向（左右方向）に交差する方向の面（直交する方向の面）でないものとする。係合にあたり、テーパ面１８及びテーパ面２９同士を接し続けさせることができるような、上記斜めに交差する方向の面に形成されるものとする。
【００３３】
図２において、第二係合部１４における引用符号１９は案内面を示す。また、引用符号２０は頂部を示す。案内面１９は、後述する第一係合部２５の案内面３０に当接し、そして、摺接するようなテーパ状の面に形成される。頂部２０は、テーパ面１８と案内面１９との境界部分に配置形成される。頂部２０は、第二係合部１４において最も突出した部分に形成される。第二係合部１４は、テーパ面１８と案内面１９と頂部２０により、断面「く」字状に形成される。
【００３４】
＜セル収容ケース３について＞
図１において、セル収容ケース３は、絶縁性を有する樹脂材料を用いた成形品であって、底壁２１と、側壁２２とを有する箱形状に形成される。セル収容ケース３は、電池セル集合体６を収容することができるような部材に形成される。
【００３５】
底壁２１は、矢印Ｑの横方向（左右方向）にのびる壁であって、この内面には、電池セル５の下端（他端）が当接する第二当接部２３が複数突出形成される。第二当接部２３は、電池セル５の高さ寸法のバラツキを吸収するための部分であって、ここでは第二当接部２３を公差吸収部２４と呼ぶものとする。第二当接部２３（公差吸収部２４）は、例えば潰れ変形可能なリブ状やピン状等の凸部分に形成される。第二当接部２３（公差吸収部２４）は、これ自身が弾力性を有するような部分に形成されることが好ましいものとする。
【００３６】
側壁２２は、矢印Ｐの縦方向（上下方向）にのびる壁であって、所定位置の上端には、第一係合部２５が形成される。また、第一係合部２５よりも下側の位置には、第三係合部２６が形成される。側壁２２の第一係合部２５及び第三係合部２６は、本発明の特徴部分として形成される。
【００３７】
＜第一係合部２５について＞
図１及び図２において、第一係合部２５は、バスバーモジュール７の第二係合部１４が係合する部分であって、側壁２２の可撓部２７と、この可撓部２７の内面から突出する係合凸部２８とを有する形状に形成される。可撓部２７は、係合の際の撓み可能な部分であって、主に第三係合部２６よりも上方の部分が該当するように形成される。
【００３８】
係合凸部２８は、テーパ面２９と案内面３０と頂部３１とを有して、断面「く」字状に形成される。テーパ面２９は、矢印Ｐの縦方向（上下方向）に対し斜めに交差する方向の面に形成される。テーパ面２９は、第二係合部１４のテーパ面１８と摺接し合う面に形成される。案内面３０は、第二係合部１４の案内面１９が摺接するようなテーパ状の面に形成される。頂部３１は、テーパ面２９と案内面３０との境界部分に配置形成される。頂部３１は、第一係合部２５において最も突出した部分に形成される。
【００３９】
＜第三係合部２６について＞
図１及び図２において、第三係合部２６は、カバー４の後述する第四係合部３６が係合する部分に形成される。第三係合部２６は、側壁２２を貫通するような部分に形成される。第三係合部２６の外面及び第一係合部２５の外面は、カバー４からの押圧を受けるような面に形成される。
【００４０】
＜カバー４について＞
図１において、カバー４は、絶縁性を有する樹脂材料を用いた成形品であって、天井壁３２と、側壁３３とを有する蓋形状に形成される。カバー４は、セル収容ケース３に電池セル集合体６を収容した状態でバスバーモジュール７を覆うことができるような部材に形成される。また、カバー４は、セル収容ケース３に係合するとともに、この係合の際にセル収容ケース３の第一係合部２５及びバスバーモジュール７（電池モジュール２）の第二係合部１４の係合部分を押圧することができるような（係合部分に作用するような）部材に形成される。
【００４１】
天井壁３２には、バスバーモジュール７（電池モジュール２）の第一当接部１１がある部分を押圧する第一押圧部３４が複数形成される。この第一押圧部３４は、天井壁３２の内面から下方に小さく突出する部分に形成される。第一押圧部３４は、フレーム本体９を介して電池セル５を下方に付勢する部分に形成される。一方、側壁３３には、上記係合部分を押圧する第二押圧部３５と、セル収容ケース３の第三係合部２６に対し係合する第四係合部３６とが形成される。第二押圧部３５は、上記係合部分を押圧して係合状態を維持するような部分に形成される。第二押圧部３５がある部分は、上記係合部分に対する保護壁３７としても形成される。
【００４２】
＜第四係合部３６について＞
図１及び図２において、第四係合部３６は、上記の如くセル収容ケース３の第三係合部６に係合する部分であって、本発明の特徴部分の一つとして形成される。第四係合部３６は、側壁３３の可撓部３８と、この可撓部３８の内面から突出する係合凸部３９とを有する形状に形成される。可撓部３８は、係合の際の撓み可能な部分であって、係合凸部３９よりも上方の側壁３３の中間部分が該当するように形成される。
【００４３】
係合凸部３９は、係止面４０と案内面４１と頂部４２とを有する形状に形成される。係止面４０は、矢印Ｑの横方向（左右方向）の面に形成される。また、係止面４０は、第三係合部２６の上部開口縁に引っ掛かる面に形成される。案内面４１は、係合の際にセル収容ケース３の第一係合部２５を乗り越えていくためのテーパ状の面に形成される。頂部４２は、係止面４０と案内面４１との間に配置形成される。頂部４２は、第四係合部３６において最も突出した部分に形成される。
【００４４】
＜電池パック１の組み付けについて＞
次に、図１ないし図８を参照しながら電池パック１の組み付けについて、係合部分の状態を中心に説明をする。
【００４５】
図１において、先ず、電池モジュール２を下方に移動させて電池セル集合体６の側からセル収容ケース３に収容していくと、この時、図１及び図２に示す如く、セル収容ケース３の第一係合部２５の直上にバスバーモジュール７（電池モジュール２）の第二係合部１４が位置する。そして、電池モジュール２を更に下方に移動させると、第一係合部２５に第二係合部１４が当接し、図３及び図４に示す如く、側壁２２の可撓部２７の撓みを伴いながら第一係合部２５及び第二係合部１４の乗り越えが生じ、この後にテーパ面１８とテーパ面２９とが接触する。
【００４６】
次に、図５に示す如く、電池モジュール２の上からカバー４を下方に移動させて、カバー４のセル収容ケース３への係合を開始すると、図５及び図６に示す如く、カバー４の第四係合部３６が第一係合部２５及び第二係合部１４の係合部分を乗り越えていく。そして、カバー４を更に下方に移動させると、第四係合部３６はセル収容ケース３の第三係合部２６に近づいていく。この時、カバー４の第一押圧部３４がバスバーモジュール７（電池モジュール２）の第一当接部１１がある部分を押圧し、この押圧に伴って電池セル５の下端（他端）がセル収容ケース３の第二当接部２３（公差吸収部２４）に当接し、そして、押し付けられる。また、第四係合部３６がある側では、カバー４の第二押圧部３５が第一係合部２５及び第二係合部１４の係合部分（正確には第二係合部１４）を内方に押圧し、この押圧に伴って係合部分におけるテーパ面１８とテーパ面２９とが摺接する。
【００４７】
テーパ面１８とテーパ面２９との摺接が生じると、電池セル５の下端（他端）が第二当接部２３（公差吸収部２４）に対し更に押し付けられ、仮に電池セル５の高さ寸法にバラツキがあったとしても、このバラツキは吸収される。この時、電池セル５の固定状態は十分になり、図７及び図８に示す如く、カバー４がセル収容ケース３に対し完全に係合すると、上記固定状態は維持される。尚、図７中の矢印は力の作用方向を示すものとする。
【００４８】
＜電池パック１の効果について＞
以上、図１ないし図８を参照しながら説明してきたように、本発明の一実施形態である電池パック１によれば、電池セル集合体６をセル収容ケース３に収容した状態でバスバーモジュール７を覆うようにカバー４をセル収容ケース３に係合させると、この時、セル収容ケース３の第一係合部２５及びバスバーモジュール７の第二係合部１４のテーパ面１８、２９同士が係合する。テーパ面１８、２９同士が係合すると、バスバーモジュール７はセル収容ケース３の側に引き寄せられるような状態になり、また、セル収容ケース３はバスバーモジュール７の側に引き寄せられるような状態になる。すなわち、セル収容ケース３及びバスバーモジュール７は、電池セル集合体６をこの両側から挟み込んで付勢するような状態になる（別な言い方をすれば、電池セル集合体６は、セル収容ケース３及びバスバーモジュール７にて電池セル５の一端側及び他端側から付勢されるような状態になる）。従って、電池パック１によれば、上記状態になることから、電池セル５の寸法バラツキを吸収することができ、以て耐振動性を向上させることができる。また、電池パック１によれば、専用部材を用いずに寸法バラツキを吸収することから、コストアップを抑制することができる。
【００４９】
また、電池パック１によれば、電池セル５の一端がバスバーモジュール７の第一当接部１１に当接するとともに、電池セル５の他端がセル収容ケース３の第二当接部２３（公差吸収部２４）に当接することから、電池セル集合体６はセル収容ケース３及びバスバーモジュール７にて付勢され、そして、固定される。従って、電池パック１によれば、電池セル５（電池セル集合体６）の固定状態を向上させることができる。
【００５０】
また、電池パック１によれば、第二当接部２３が公差吸収部２４として形成されることから、電池セル５に寸法バラツキがあっても、このバラツキが公差吸収部２４の弾性変形等によって吸収される。従って、電池パック１によれば、公差吸収部２４が寸法バラツキの吸収に寄与することができ、以て耐振動性を向上させることができる。
【００５１】
また、電池パック１によれば、バスバーモジュール７がカバー４の第一押圧部３４にて押圧されることから、バスバーモジュール７による電池セル集合体６への付勢を高めることができる。従って、電池パック１によれば、第一押圧部３４が寸法バラツキの吸収に寄与することができ、以て耐振動性を向上させることができる。
【００５２】
また、電池パック１によれば、第一押圧部３４による押圧がカバー４の第四係合部３６及びセル収容ケース３の第三形状部２６の係合にて維持されることから、電池セル集合体６を確実に固定することができ、以て寸法バラツキの吸収に寄与することができる。
【００５３】
また、電池パック１によれば、第一係合部２５及び第二係合部１４による係合部分がカバー４の第二押圧部３５にて押圧されることから、係合部分におけるテーパ面１８、２９同士の係合状態を維持することができ、以て寸法バラツキの吸収に寄与することができる。
【００５４】
また、電池パック１によれば、第一係合部２５及び第二係合部１４による係合部分がカバー４の保護壁３７にて保護されることから、係合部分におけるテーパ面１８、２９同士の係合状態を維持することができ、以て寸法バラツキの吸収に寄与することができる。
【００５５】
従って、以上から分かるように、本発明の一実施形態である電池パック１によれば、電池セル５の寸法バラツキを吸収して耐振動性を向上させることができるという効果を奏する。
【００５６】
本発明は本発明の主旨を変えない範囲で種々変更実施可能なことは勿論である。
【符号の説明】
【００５７】
１…電池パック、  ２…電池モジュール、  ３…セル収容ケース、  ４…カバー、  ５…電池セル、  ６…電池セル集合体、  ７…バスバーモジュール、  ８…樹脂フレーム、  ９…フレーム本体、  １０…側壁、  １１…第一当接部、  １２…当接面、  １３…保持部、  １４…第二係合部、  １５…枠部、  １６…係合空間、  １７…係合凸部、  １８…テーパ面、  １９…案内面、  ２０…頂部、  ２１…底壁、  ２２…側壁、  ２３…第二当接部、  ２４…公差吸収部、  ２５…第一係合部、  ２６…第三係合部、  ２７…可撓部、  ２８…係合凸部、  ２９…テーパ面、  ３０…案内面、  ３１…頂部、  ３２…天井壁、  ３３…側壁、  ３４…第一押圧部、  ３５…第二押圧部、  ３６…第四係合部、  ３７…保護壁、  ３８…可撓部、  ３９…係合凸部、  ４０…係止面、  ４１…案内面、  ４２…頂部
【図１】
2020064776.tif 000003
【図２】
2020064776.tif 000004
【図３】
2020064776.tif 000005
【図４】
2020064776.tif 000006
【図５】
2020064776.tif 000007
【図６】
2020064776.tif 000008
【図７】
2020064776.tif 000009
【図８】
2020064776.tif 000010